(57)【要約】【課題】映像信号出力手段により外部に映像信号が有効に出力されているときには前処理を行わないので、高画質の映像信号を出力することを課題とする。【解決手段】映像信号を外部に出力する映像信号出力手段（１０，１１）と、映像信号を符号化する符号化手段（９）と、映像信号出力手段により外部に映像信号が有効に出力されていないときには符号化後の符号量を削減するための符号化の前処理を行い、有効に出力されているときには前処理を行わずに、映像信号を出力する前処理手段（４）とを有し、映像信号出力手段及び符号化手段は、前処理手段が出力する映像信号を基に処理を行う映像信号処理装置が提供される。【選択図】図１
2007124371.tif 000002
【特許請求の範囲】
【請求項１】
映像信号を外部に出力する映像信号出力手段と、
映像信号を符号化する符号化手段と、
前記映像信号出力手段により外部に映像信号が有効に出力されていないときには前記符号化後の符号量を削減するための前記符号化の前処理を行い、有効に出力されているときには前記前処理を行わずに、映像信号を出力する前処理手段とを有し、
前記映像信号出力手段及び前記符号化手段は、前記前処理手段が出力する映像信号を基に処理を行うことを特徴とする映像信号処理装置。
【請求項２】
前記前処理手段は、前記映像信号出力手段の出力が無効選択されているときには前記符号化後の符号量を削減するための前記符号化の前処理を行い、有効選択されているときには前記前処理を行わずに、映像信号を出力することを特徴とする請求項１記載の映像信号処理装置。
【請求項３】
さらに、前記映像信号出力手段の出力の有効選択又は無効選択を操作するための操作手段を有することを特徴とする請求項２記載の映像信号処理装置。
【請求項４】
さらに、前記映像信号出力手段により外部に映像信号が有効に出力されているか否かを検知するための検知手段を有することを特徴とする請求項１記載の映像信号処理装置。
【請求項５】
前記検知手段は、前記映像信号出力手段の出力が所定の負荷に接続され、その出力が有効になっていることを検知することを特徴とする請求項４記載の映像信号処理装置。
【請求項６】
前記検知手段は、前記映像信号出力手段の出力電流を検知することを特徴とする請求項５記載の映像信号処理装置。
【請求項７】
前記検知手段は、前記映像信号出力手段の電源消費電流を検知することを特徴とする請求項５記載の映像信号処理装置。
【請求項８】
前記検知手段は、前記映像信号出力手段の外部出力端子に外部接続がされているか否かを検知することを特徴とする請求項５記載の映像信号処理装置。
【請求項９】
前記映像信号出力手段は、ディジタルの映像信号を外部に出力するディジタル映像信号出力手段と、アナログの映像信号を外部に出力するアナログ映像信号出力手段とを有することを特徴とする請求項１〜８のいずれか１項に記載の映像信号処理装置。
【請求項１０】
前記前処理は、フィルタ処理、エッジ処理又はノイズリダクション処理であることを特徴とする請求項１〜９のいずれか１項に記載の映像信号処理装置。
【請求項１１】
映像信号を外部に出力する映像信号出力手段と、
映像信号を符号化する符号化手段とを有する映像信号処理装置の映像信号処理方法であって、
前記映像信号出力手段により外部に映像信号が有効に出力されていないときには前記符号化後の符号量を削減するための前記符号化の前処理を行い、有効に出力されているときには前記前処理を行わずに、映像信号を出力する前処理ステップと、
前記前処理ステップで出力された映像信号を基に外部に映像信号を出力する出力ステップと、
前記前処理ステップで出力された映像信号を基に符号化を行う符号化ステップと
を有することを特徴とする映像信号処理方法。
【発明の詳細な説明】
【技術分野】
【０００１】
本発明は、映像信号処理装置及び方法に関する。
【背景技術】
【０００２】
現在、高能率の符号化による圧縮符号化動画像生成方式を利用した記録再生装置が広く普及している。このような符号化アルゴリズムの一例として、映像信号におけるフレーム間の差分を符号化するフレーム間予測符号化がある。これは、隣接するフレーム画像間の相関を利用して情報量を低減する符号化方式である。代表的な符号化方式として蓄積メディア用の符号化標準規格であるＭＰＥＧ（Moving Picture Expert Group）が動画像圧縮符号化手段として広く用いられている。
【０００３】
ＭＰＥＧ標準モデルによる圧縮符号化装置によれば、入力される映像を一度符号化し、その発生情報量などから映像の複雑さや動きを抽出し、その映像の特徴を割出し、特徴に合わせた符号化制御を行うことにより、圧縮伸張後の画質の向上を図ることができる。
【０００４】
しかしこれらの方式では、フレーム間の相関を利用して符号化するため、フレーム相関が低く、かつ動き補償の困難な場合に問題がある。例えば画像のシーンの切り換え、画像特殊効果としてのフェード、画像記録時において撮像部にてズーム等の操作が行われた場合の映像を圧縮符号化する場合に、画質が劣化するという問題があった。
【０００５】
カメラ一体型ビデオ記録再生装置のように撮像部を有していて、かつ圧縮符号化信号の記録再生を行う装置の場合においては、このような問題を解決する手法が開示されている。例えば、映像信号の圧縮符号化時に撮像部の制御情報を利用して圧縮符号化特性を変化させるように構成した例が開示されている。(特許文献１参照)
【０００６】
この例ではＭＰＥＧの場合に、フレーム間予測に用いる画面タイプであるフレーム内符号化を行うＩピクチャ、前向き片側予測を行うＰピクチャ、前後両方向予測を行うＢピクチャの３種類の画像の並び（ピクチャシーケンス）を用いる。そして、３種類の画像の並びを、撮像装置の制御情報によって切り替えることを特徴としている。また、撮像装置の制御情報によって符号化回路内の量子化回路の制御パラメータである量子化マトリクスを変化させることを特徴としている。
【０００７】
また、同様にカメラ一体型ビデオ記録再生装置のように撮像部を有していて、かつ圧縮符号化信号の記録再生を行う装置の場合の開示がある。それは、撮像部におけるズームレンズ位置情報、フォーカス評価値、手ぶれ検出値、アイリス開閉量、カメラ信号ゲイン量、ホワイトバランス制御量などの撮像情報により撮影されるシーンの重要度、撮影環境を判断する。そして、圧縮符号化画像信号の目標情報量を設定する例が開示されている。(特許文献２参照)
【０００８】
さらには上記二つの例とは逆に圧縮符号化前の画像データのデータ量を検知し、データ量に対応して撮像部の光学的条件であるところの絞り・シャッタスピードによる露光量又は焦点調整を制御する。それとともに、光学的条件に基づいて、撮像された画像のデータを圧縮することで符号量の削減を図ることを特徴とする画像処理装置の例が開示されている。(特許文献３参照)
【０００９】
上記、従来のカメラ一体型ビデオ圧縮符号化信号記録再生装置における撮像部の制御情報を利用して圧縮符号化を行う場合の符号化回路の構成例を図４に示す。
【００１０】
図４において端子４１には撮像部にて撮像信号をディジタル処理したディジタルビデオ映像信号が入力される。この映像信号はカメラ撮像部の外部出力として同期信号等の付加データを追加した整形後の信号であり、通常、輝度・色(色差)信号それぞれ８ビットデータに分離された信号である。（ディジタルビデオ映像フォーマットによりＹ：Ｃｂ：ＣｒあるいはＹ：Ｐｂ：Ｐｒ＝４：４：４信号、４：２：２信号などとビットレートに応じて称される）
【００１１】
この信号は符号化の前処理としてプレフィルタ演算回路４２に入力されフィルタ演算処理を行った後、フレームメモリ４３に入力され記憶される。また、同時にプレフィルタ演算回路４２では記録再生装置の記録再生フォーマットに応じ、上記８ビットデータの間引き等を行う。引算器４４は、フレームメモリ４３の出力信号と動き補償回路４５の出力する信号との差分をとることによって、フレーム間差信号を生成する。このフレーム間差信号は、ＤＣＴ（Discrete Cosine Transform）回路４６によってフレーム内符号化された後、符号量を低減するため量子化マトリクス処理を行う量子化処理回路４７で量子化される。この量子化された信号は、可変長符号化回路４８と逆量子化処理回路４９とへ出力される。可変長符号化回路４８でハフマン符号化された信号は、フレームバッファ５０を経て出力端子５１から出力される。
【００１２】
一方、量子化処理回路４７の出力する量子化された符号化信号は、逆量子化処理回路４９と逆ＤＣＴ回路５２と加算器５３とで構成される復号化回路で復号化され、動き補償回路４５へ出力される。動き補償回路４５では、動き予測モードに応じた画面タイプであるフレーム内符号化を行うＩピクチャ、前向き片側予測を行うＰピクチャ、前後両方向予測を行うＢピクチャの３種類の画像の並び（ピクチャシーケンス）を決定する。そして、それと共に、動き検出回路５４の出力する動きベクトルを用いた動き補償を行う。
【００１３】
ここで撮像制御情報処理回路５は端子６からのカメラ撮像部撮像制御情報を処理し、以下の制御を行う。
【００１４】
第一に撮像制御情報に応じてプレフィルタ演算回路４２のフィルタ演算処理特性の変更を行う。撮像制御情報から記録画像の解像度がそれほど必要ではないと判断できる場合にはプレフィルタ演算回路４２のフィルタ係数を高域の周波数成分を取り除く特性に変更する。これにより、解像度を下げ、符号化時の圧縮効率を高め、低いビットレートに変更し、かつ映像劣化を抑える。
【００１５】
第二に撮像制御情報に応じて上記説明したようにピクチャシーケンスを変更するなど動き補償回路４５の補償特性を変更する。
【００１６】
第三に撮像制御情報に応じて出力端子５１から出力される圧縮符号化画像信号の目標情報量を設定する。
【００１７】
フレームバッファ５０の出力は量子化レート制御回路５５に供される。量子化レート制御回路５５は撮像制御情報処理回路５からの撮像制御情報処理結果に基づく目標情報量制御を受けてフレームバッファ５０の出力の符号化量が例えば一定になるように量子化回路４７での量子化レートを決定する。
【００１８】
【特許文献１】特開平７−１０７４６６号公報
【特許文献２】特開２００２−３６９１４２号公報
【特許文献３】特開２０００−３３３０７１号公報
【発明の開示】
【発明が解決しようとする課題】
【００１９】
ところで上記従来例における撮像制御情報によるピクチャシーケンスの変更及び量子化レートの変更等圧縮符号化回路に特有の機能を使用した画像データ圧縮処理を除いた、例えばフィルタ演算処理等はカメラ撮像部でも実現可能である。
【００２０】
具体的には撮像信号をディジタル処理する際のエッジ強調信号付加量あるいはエッジ強調信号生成回路内に設けられるノイズスライス回路（コアリング・ベースクリップ回路などと称される）を撮像制御情報により制御する。あるいはカメラ信号ゲイン量増加時にカメラ画質を向上するために必須であるところの輝度信号・色信号個別のノイズリダクション（ＮＲ）回路などを撮像制御情報を基に制御することなどが容易に実現できる。
【００２１】
上記従来例図４の符号化回路の入力端子４１に供されるディジタルビデオ映像信号は既に輝度・色(色差)信号がそれぞれ８ビットデータに整形されてしまっている。それに比べ、カメラ撮像部内では最終的に高画質８ビットデータを生成するために少なくとも１０ビット以上の多ビットで信号処理を行うことが必然である。このためカメラ撮像部内にて画像データ圧縮処理を目的とした多ビットフィルタ演算処理等を実施すれば８ビットデータ整形後に画像データ圧縮処理を行うのに比して高性能の制御が可能である。
【００２２】
さらには撮像部を制御する撮像部制御装置(カメラマイコン)におけるズームレンズ位置情報、フォーカス評価値、手ぶれ検出値、アイリス開閉量、カメラ信号ゲイン量、ホワイトバランス制御量などの撮像情報はより高精度に収集される。これらの情報を利用してより多ビット処理を行っているカメラ撮像部内のディジタル映像信号処理装置を直接制御できるため高度なデータ圧縮処理が輝度信号・色信号の両方について実現可能となる。
【００２３】
カメラ一体型ビデオ圧縮符号化信号記録再生装置において撮像制御情報を基に映像信号の圧縮符号化時に撮像部の制御情報を利用して圧縮符号化特性を変化させるように構成する場合がある。その場合には、上記従来例に示したような撮像部でのディジタル処理後の圧縮符号化回路と併用してカメラ撮像部内のディジタル映像信号処理装置を直接制御して圧縮符号化特性を変更すればより高効率・高性能な圧縮符号化が可能となる。
【００２４】
しかしながらこのように構成したカメラ一体型ビデオ信号記録再生装置は生成された圧縮符号化映像信号を内蔵の装置にて記録再生を行う場合には好適ではあるが、以下の問題がある。ここで、カメラ撮像部からのディジタル映像信号に外部出力信号として同期信号等の付加データを追加したシリアルディジタル映像フォーマット信号出力がある。そのシリアルディジタル映像フォーマット信号出力は、ＳＭＰＴＥ２９２Ｍ規格ＨＤ−ＳＤＩ〔Ｓｅｒｉａｌ  Ｄｉｇｉｔａｌ  Ｉｎｔｅｒｆａｃｅ〕信号・ＳＭＰＴＥ２５９Ｍ規格ＳＤＩ信号などである。また、上記カメラ撮像部からのディジタル映像信号をＤ／Ａ変換して得られるアナログ映像信号に複合同期信号などを付加して生成したアナログ映像フォーマット信号出力がある。そのアナログ映像フォーマット信号出力は、アナログコンポーネントビデオ信号あるいはアナログコンポジットビデオ信号などである。シリアルディジタル映像フォーマット信号出力ないしはアナログ映像フォーマット信号出力をテレビジョンモニタ、非圧縮ビデオ信号記録再生対応ビデオ機器などに直接接続する。そしてカメラ撮像部からのディジタル映像信号をそのまま利用する構成ではカメラ撮像部内のディジタル映像信号処理においての撮像制御情報によるデータ圧縮処理はこの場合において不必要な画質の劣化を上記映像フォーマット信号出力に与えてしまうこととなる。
【００２５】
よって上記のように構成したカメラ一体型ビデオ信号記録再生装置は外部出力信号上のカメラ画質がその時の撮像制御情報により左右され、高画質が常時得られなくなるという問題が有る。
【００２６】
本発明の目的は、上記問題点を解決し、非圧縮フォーマットデータによる撮影時カメラ出力ビデオ信号の利用時については、上記カメラ撮像制御情報及び記録再生装置の状態に左右されない最良の画質データを出力できるように構成することである。
【課題を解決するための手段】
【００２７】
本発明の映像信号処理装置は、映像信号を外部に出力する映像信号出力手段と、映像信号を符号化する符号化手段と、前記映像信号出力手段により外部に映像信号が有効に出力されていないときには前記符号化後の符号量を削減するための前記符号化の前処理を行い、有効に出力されているときには前記前処理を行わずに、映像信号を出力する前処理手段とを有し、前記映像信号出力手段及び前記符号化手段は、前記前処理手段が出力する映像信号を基に処理を行うことを特徴とする。
【００２８】
また、本発明の映像信号処理方法は、映像信号を外部に出力する映像信号出力手段と、映像信号を符号化する符号化手段とを有する映像信号処理装置の映像信号処理方法であって、前記映像信号出力手段により外部に映像信号が有効に出力されていないときには前記符号化後の符号量を削減するための前記符号化の前処理を行い、有効に出力されているときには前記前処理を行わずに、映像信号を出力する前処理ステップと、前記前処理ステップで出力された映像信号を基に外部に映像信号を出力する出力ステップと、前記前処理ステップで出力された映像信号を基に符号化を行う符号化ステップとを有することを特徴とする。
【発明の効果】
【００２９】
映像信号出力手段により外部に映像信号が有効に出力されているときには前処理を行わないので、高画質の映像信号を出力することができる。
【発明を実施するための最良の形態】
【００３０】
（第１の実施形態）
図１は、本発明の第１の実施形態による撮像装置（映像信号処理装置）の構成例を示すブロック図である。同図において、１は光学系で、入射した光信号をＣＣＤ（Charge Coupled Device ）等のセンサ（撮像素子）に結像させる。センサ２は、結像した光信号を電気信号に変換し、撮像信号として出力する。３はＡ／Ｄ変換回路で、アナログの撮像信号をディジタル信号に変換し、ディジタル信号処理回路４に出力する。ディジタル信号処理回路４は、ディジタル化された撮像信号にガンマ補正やホワイトバランス補正等の公知の処理を施して、輝度信号及び色差信号からなるディジタルビデオ信号（映像信号）を出力する。
【００３１】
また、ディジタル信号処理回路４は、撮像情報処理回路５によって制御される。この撮像装置を操作するユーザーは、操作スイッチ６によって露光量・ゲイン値・防振機能のオン（ＯＮ）／オフ（ＯＦＦ）・絞り及びズーム・フォーカス位置などのレンズ駆動情報・ホワイトバランス操作の内容を入力する。その内容に応じて撮像情報処理回路５は、ディジタル信号処理回路４、レンズ駆動回路７、センサ駆動回路８を制御する。そして、レンズ駆動回路７は焦点位置、ズーム倍率を、センサ駆動回路８はシャッタスピード等を制御する。また、操作スイッチ６には後述するディジタルビデオフォーマット信号及びアナログビデオフォーマット信号の出力有効／無効選択操作を含む。撮像情報処理回路５は、上記フォーマット信号出力が無効選択となっている場合には以下の処理を行う。露光量・ゲイン値・動き検出結果・絞り及びズーム・フォーカス位置などのレンズ駆動情報・ホワイトバランス制御情報などにより生成した画質パラメータ制御をディジタル信号処理回路４に対して行う。そして、圧縮符号化信号記録対応データ圧縮後の符号量削減のためにディジタル信号処理回路４内に設けた多ビットデータによるフィルタ処理・エッジ処理・ＮＲ処理などによる処理を実施する。フォーマット信号出力が有効選択となっている場合には前記ディジタル信号処理回路４での処理は行わないように制御する。
【００３２】
すなわち、ディジタル信号処理回路４は、ビデオ出力装置１０，１１により外部に映像信号が有効に出力されていないときには符号化後の符号量を削減するための符号化の前処理を行い、有効に出力されているときにはその前処理を行わずに、映像信号を出力する。
【００３３】
同時に撮像情報処理回路５は、撮像制御情報を画像圧縮符号化回路９に供給し、画像圧縮符号化回路９では、後述するように、この制御情報を用いて符号化を行う。
【００３４】
ディジタル信号処理回路４の出力するディジタルビデオ信号は、ディジタルビデオフォーマッタ（出力装置）１０と、アナログビデオフォーマッタ（出力装置）１１及び画像圧縮符号化回路９とに出力される。ディジタルビデオフォーマッタ（出力装置）１０は、ディジタルビデオ信号を標準テレビ方式に従った外部出力信号として同期信号等の付加データを追加したシリアルディジタル映像フォーマット信号出力に変換する。上記のシリアルディジタル映像フォーマット信号出力は、例えば、ＳＭＰＴＥ２９２Ｍ規格ＨＤ−ＳＤＩ〔Ｓｅｒｉａｌ  Ｄｉｇｉｔａｌ  Ｉｎｔｅｒｆａｃｅ〕信号、ＳＭＰＴＥ２５９Ｍ規格ＳＤＩ信号などである。アナログビデオフォーマッタ１１はディジタルビデオ信号をＤ／Ａ変換回路１２にてＤ／Ａ変換して得られるアナログ映像信号に複合同期信号などを付加して生成したアナログ映像フォーマット信号出力に変換する。上記のアナログ映像フォーマット信号出力は、例えば、アナログコンポーネントビデオ信号あるいはアナログコンポジットビデオ信号などである。それぞれのフォーマット信号は、出力端子（Ｄ端子及びＳ端子）１３からアナログ信号で、また出力端子（ＳＤＩ端子）１４からはディジタル信号で出力される。
【００３５】
符号化回路９は、従来例として示した図４と同様であり、フレーム間予測符号化等の方式によって符号化する。符号化するときには、撮像情報処理回路５の出力する撮像制御情報を用いて符号化を行う。符号化回路９で符号化された信号は、ビットストリームとして画像圧縮信号記録再生回路１５を介して、図示しない光ディスク・磁気ビデオテープなどの記録媒体に記録される。
【００３６】
記録ビデオ信号再生時には画像圧縮信号記録再生回路１５の出力は画像復号処理回路１６で復号化され、ディジタルビデオフォーマッタ１０と、アナログビデオフォーマッタ１１に出力され、所定のビデオ映像フォーマット信号として出力される。
【００３７】
（第２の実施形態）
図２は、本発明の第２の実施形態による撮像装置の構成例を示すブロック図である。図２においては図１におけるアナログ映像フォーマット信号出力端子１３及びシリアルディジタル映像フォーマット信号出力端子１４に外部出力接続ケーブル部材などとの接続を検知する公知であるところの機械的なスイッチを設けている。外部出力接続ケーブル部材が接続されていると検知した場合には制御線１７を通して撮像情報処理回路５はフォーマット信号出力が有効となっているので第１の実施形態と同様に、ディジタル信号処理回路４での処理は行わないように制御する。
【００３８】
上記の検知スイッチは、ビデオ出力装置１０，１１の外部出力端子１３，１４に外部接続がされているか否かを検知する。
【００３９】
（第３の実施形態）
図３は、本発明の第３の実施形態による撮像装置の構成例を示すブロック図である。図３においては図１におけるディジタルビデオフォーマッタ１０及びアナログビデオフォーマッタ１１内に新たにアナログ映像フォーマット信号出力及びシリアルディジタル映像フォーマット信号出力の駆動電流検出回路を設ける。または、ディジタルビデオフォーマッタ回路１０及びアナログビデオフォーマッタ回路１１の回路消費電流を検知できるように構成してある。アナログ映像フォーマット信号出力及びシリアルディジタル映像フォーマット信号出力のいずれかが接続ケーブルなどを介して外部負荷（通常インピーダンス７５Ω）に接続された場合の上記電流量を検知する。そして、フォーマッタ回路１０及び１１は、それぞれディジタルビデオフォーマッタ動作検知線１８、アナログビデオフォーマッタ動作検知線１９を通して電流量の検知結果を撮像情報処理回路５に伝達する。検知結果が外部負荷との接続を示している場合には撮像情報処理回路５はフォーマット信号出力が有効となっているので第１の実施形態と同様に、ディジタル信号処理回路４での処理は行わないように制御する。
【００４０】
ビデオフォーマッタ１０，１１は、検知手段を有する。検知手段は、ビデオフォーマッタ１０，１１の出力が所定の負荷に接続され、その出力が有効になっていることを検知する。前記検知手段は、ビデオフォーマッタ１０，１１の出力電流を検知する。または、前記検知手段は、ビデオフォーマッタ１０，１１の電源消費電流を検知する。
【００４１】
以上のように、第１〜第３の実施形態は、撮影された画像を圧縮符号化した画像信号を所定の記録媒体に記録する撮像信号記録再生装置に関する。特に撮像部における撮像条件を設定する撮像制御データを処理した撮像情報に基づいて、撮像された被写体の画像データに対して適切な品質の圧縮符号化を行って、最適な画質制御処理を行う。
【００４２】
カメラ信号処理後の撮像映像信号データをＨＤ−ＳＤＩのようなディジタルビデオ非圧縮フォーマット信号又は同信号をＤ／Ａ変換したアナログビデオ信号（Ｄ端子・Ｓ端子出力）として出力可能であるように構成したＭＰＥＧ記録装置内蔵一体型ビデオカメラである。本実施形態は、非圧縮フォーマットデータによる撮影時カメラ出力ビデオ信号については上記記録装置の状態に左右されない最良の画質データを出力できるようにする。
【００４３】
外部の非圧縮データ対応メディアで記録・再生する目的でＨＤ−ＳＤＩ出力のような非圧縮フォーマット出力が選択的に選ばれている場合がある。その場合には  画質パラメータによるカメラ信号処理部内に設けたフィルタ処理・エッジ処理・ガンマ処理・ＮＲ処理などによる高度な処理は行わないようにする。上記の画質パラメータは、ＭＰＥＧ記録対応データ圧縮後の符号量削減のためにカメラ部の露光量・ゲイン値・動き検出結果・絞り及びズーム・フォーカス位置などのレンズ駆動情報・ホワイトバランス制御情報などにより生成される。この場合のデータ圧縮処理は上記情報を基に画像圧縮処理装置内に設けたフィルタ処理・ＮＲ処理により簡易的に行う。
【００４４】
本実施形態によれば、カメラ一体型ビデオ圧縮符号化信号記録再生装置において撮像制御情報を基にカメラ撮像部内のディジタル映像信号処理装置を直接制御して圧縮符号化特性を変更する手段を有する。さらに、撮像部ディジタル処理後の圧縮符号化回路における映像信号の圧縮符号化時に撮像部の制御情報を利用して圧縮符号化特性を変化させる手段を有し、それらの手段を併用してより高効率・高性能な圧縮符号化を実現した装置を構成する。その場合に、外部の非圧縮データ対応メディアで記録・再生する目的でＨＤ−ＳＤＩ出力のような非圧縮フォーマット出力が選択的に選ばれている場合がある。その場合には一体型カメラ内蔵の記録装置による動画像の記録再生画質は非圧縮フォーマット出力画質に対し重要ではないと判断可能であることから、上記のように非圧縮フォーマット出力が選ばれていると検知可能である。その場合には、画質パラメータによるカメラ信号処理部内に設けたフィルタ処理・エッジ処理・ＮＲ処理などによる高度な処理は行わないようにする。上記の画質パラメータは、圧縮符号化信号記録対応データ圧縮後の符号量削減のためのカメラ撮像部での露光量・ゲイン値・動き検出結果・絞り及びズーム・フォーカス位置などのレンズ駆動情報・ホワイトバランス制御情報などにより生成される。
【００４５】
この場合のデータ圧縮処理は上記情報を基に撮像部ディジタル処理後の画像圧縮符号化回路内に設けたフィルタ処理・ＮＲ処理等により簡易的に行う。
【００４６】
また、非圧縮フォーマット出力が選ばれていないと検知できる場合にはカメラ部においてもデータ圧縮後の符号量削減のための前処理を行うようにしている。
【００４７】
以上のように構成したため、非圧縮フォーマット出力が選択的に選ばれている場合及び一体型カメラ内蔵の記録装置による動画像の記録再生が選択的に選ばれている場合のいずれの場合も好適なカメラ一体型ビデオ信号記録再生装置が実現可能となる。
【００４８】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００４９】
【図１】本発明の第１の実施形態によるカメラ一体型ビデオ信号記録再生装置のブロック図である。
【図２】本発明の第２の実施形態によるカメラ一体型ビデオ信号記録再生装置のブロック図である。
【図３】本発明の第３の実施形態によるカメラ一体型ビデオ信号記録再生装置のブロック図である。
【図４】従来の符号化回路のモデルを示すブロック図である。
【符号の説明】
【００５０】
１    光学系
２    センサ（撮像素子）
３    Ａ／Ｄ変換回路
４    ディジタル信号処理回路
５    撮像情報処理回路
６    操作スイッチ
７    レンズ駆動回路
８    センサ駆動回路
９    符号化回路
１０  ディジタルビデオフォーマッタ
１１  アナログビデオフォーマッタ
１２  Ｄ／Ａ変換回路
１３  アナログ映像フォーマット信号出力端子
１４  ディジタル映像フォーマット信号出力端子
１５  画像圧縮信号記録再生回路
１６  復号化回路
１７  制御線
１８  ディジタルビデオフォーマッタ動作検知線
１９  アナログビデオフォーマッタ動作検知線
４１  入力端子
４２  プレフィルタ演算回路
４３  フレームメモリ
４４  引算器
４５  動き補償回路
４６  ＤＣＴ回路
４７  量子化回路
４８  可変長符号化回路
４９  逆量子化回路
５０  フレームバッファ
５１  出力端子
５２  逆ＤＣＴ回路
５３  加算器
５４  動き検出回路
５５  量子化レート制御回路
【図１】
2007124371.tif 000003
【図２】
2007124371.tif 000004
【図３】
2007124371.tif 000005
【図４】
2007124371.tif 000006